(57)【要約】【課題】  人体の体形に合ったベッド部の天板を備えた透視撮影装置を提供する。【解決手段】  床面に設置されるベース筺体１１０と、被検者を載せるための天板３０１を有するベッド部３００と、前記ベッド部３００を前記ベース筺体１１０に対して移動可能にするベッド支持アーム１３０とを備え、前記ベッド部３００の天板３０１は、その長手方向における略中央の短手方向の寸法L１より、その長手方向の両端部の短手方向の寸法L２を短くする。【選択図】  図１
2008167782.tif 000002
【特許請求の範囲】
【請求項１】
床面に設置されるベース筺体と、被検者を載せるための天板を有するベッド部と、前記ベッド部を前記ベース筺体に対して移動可能にする駆動機構部とを備えた透視撮影装置において、
前記ベッド部の天板は、その長手方向における略中央の短手方向の寸法より、その長手方向の両端部の短手方向の寸法が短いことを特徴とする透視撮影装置。
【請求項２】
前記請求項１記載の透視撮影装置において、
前記天板は、その長手方向の両側に金属材料の強度部材を備えていることを特徴とする透視撮影装置。
【請求項３】
前記請求項１または２記載の透視撮影装置において、
前記天板は、その長手方向の両端部側の縁部にアダプタを取り付けるためのアダプタ取付部を備えており、
前記アダプタ取付部は金属材料の強度部材を備え、
前記金属材料で保護されない範囲は、天板の長手方向の中央の横幅寸法より、その長手方向の両端部の横幅寸法が短いことを特徴とする透視撮影装置。
【請求項４】
前記請求項３記載の透視撮影装置において、
前記天板の平面形状は、その長手方向の両側の縁部が円弧形状であることを特徴とする透視撮影装置。
【請求項５】
前記ベース筺体と、このベース筺体に昇降可能に取り付けられるベッド支持アームと、このベッド支持アームに左右方向へ移動可能に取り付けられるベッド部と、このベッド部に左右方向へ取り付けられるの管球支持アーム支持部と、この管球支持アーム支持部に前後方向へ移動可能に取り付けられる管球支持アームと、この管球支持アームの先端部に支持される前記Ｘ線投影部とを備え、
前記ベッド部は、その上部を覆う天板と、この天板の下方に配置されるＸ線受光部と、このＸ線受光部を前記左右方向と前後方向に移動させるＸ線受光部移動機構部とを備えていることを特徴とする請求項１から４記載の何れかの透視撮影装置。
【発明の詳細な説明】
【技術分野】
【０００１】
本発明は、被検者へのアクセスが容易なベッド部の構造を備えた透視撮影装置に関するものである。
【背景技術】
【０００２】
従来の透視撮影装置では、血管を介して体内に挿入される医療器具や薬物などを投影撮影装置で撮影しながら治療するＩＶＲ（Ｘ線透視画像を用いて低侵襲で治療を行う施術）と称される治療が注目を浴びている。特に、近年では、腹部や胸部などの人体の中心部位が主体であった治療も、頭部や脚部などの末端の部位まで行われるようになっている。
【０００３】
例えば、特許文献１に開示されているように、これらＩＶＲで使用される床上設置式の透視撮影装置は、床面に設置されるベース筺体と、Ｘ線受光部を備えたベッド部と、前記ベッド部を前記ベース筺体に対して多様な姿勢に変化可能に連結する連結アームと、Ｘ線投射部をベッド部に対して移動可能に連結する管球支持アームとを備え、ベッド部に寝る被検者に対してＸ線投射部からＸ線を照射し、これをＸ線受光部で撮影する構造を備えていた。
【０００４】
【特許文献１】特開平７−１４８１５７号公報
【発明の開示】
【発明が解決しようとする課題】
【０００５】
前記従来技術のベッド部に設けられる天板の平面形状は、人体の最長の横幅寸法を基準に、その横幅寸法が設定された長方形状に形成されている。このため、腹部や胸部の部位に対する治療者のアクセスは特に問題とならなかったが、頭部や脚部などの人体の横幅が狭い部分に対する治療者のアクセスはベッド部が邪魔になり、アクセスしづらいという未解決の問題があった。
【０００６】
本発明の目的は、人体の体形に合ったベッド部の天板を備えた透視撮影装置を提供することにある。
【課題を解決するための手段】
【０００７】
本発明は、前記目的を達成するために、透過撮影装置のベッド部の上面を覆う天板の平面形状を、天板の長手方向の両端部の短手方向の寸法が長手方向の略中央の短手方向の寸法より小さくする。
【発明の効果】
【０００８】
本発明によれば、ベッド部の天板の平面形状を人体の体形に合わせることができる。
【発明を実施するための最良の形態】
【０００９】
以下、図１から図１４を参照して、この発明に係る透視撮影装置を具体的に説明する。なお、同一の部位や方向などは同一符号を持って示し、重複した説明を省略する。図１から図１３が第１の実施の形態を示し、図１４が他の実施の形態を示している。
（第１の実施の形態）
先ず、図１を参照して、この実施の形態に係る透視撮影システムの概略構造を説明する。図１は透視撮影システムの概略構成図である。図１において、この実施の形態に係る透視撮影システムは、被検者を透視撮影するための透視撮影装置１００と、この透視撮影装置１００とともに遮蔽された撮影室に設置される近接操作卓５００と、前記撮影室の外に設置される主操作卓５５０と、図示しないＸ線発生装置などから構成される。この実施の形態によれば、前記主操作装置５５０を介して前記透視撮影装置１００の操作を行うことができる他、前記近接操作卓５００を介して撮影室内で前記透視撮影装置１００に関する主要な操作を行うことができる。
【００１０】
前記透視撮影装置１００は、撮影室内の床面に設置されるベース筺体１１０に対して、このベース筺体１１０の前部に設置されるベッド部３００と、ベッド部３００の上部に設置されるＸ線投射部１２０とを多様に移動させることによりベッド部３００に載せる被検者の多様な部位を多様な姿勢で撮影することができる。
【００１１】
この実施の形態では、前記透視撮影装置１００を実現するために、前記ベース筺体１１０と、このベース筺体１１０に取り付けられるベッド支持アーム１３０と、このベッド支持アーム１３０に取り付けられるベッド部３００と、このベッド部３００に取り付けられる管球支持アーム支持部１４０と、この管球支持アーム支持部１４０に支持される管球支持アーム１５０と、管球支持アーム１５０の先端部に支持される前記Ｘ線投影部１２０と、前記ベース筺体に取り付けられるモニタ装置１６０とを含んで透視撮影装置を構成する。
【００１２】
この実施の形態によれば、前記ベッド支持アーム１３０が、前記ベース筺体１１０に対して、矢印Ｙ１で示す上下方向に移動しつつ、回転軸Ｐ１を中心に回転動作する。また、ベッド部３００は、その長手方向を、矢印Ｘ１で示す左右方向に向くように前記ベッド支持アーム１３０に支持されつつ、この左右方向Ｘ１に移動することができる。また、前記管球支持アーム支持部１４０は、前記ベッド部３００の長手方向（左右方向Ｘ１）に移動可能に前記ベッド部３００に支持され、かつ、前記管球支持アーム１５０を、矢印Ｚ１で示す前後方向に動作可能に支持する。前記管球支持アーム１５０は、先端部に設けたＸ線投影部１２０を前記ベッド部３００の上部に位置するように形成される。更にＸ線投影部１２０は、前記ベッド部３００の長手方向（左右方向Ｘ１）に沿って回転するように、管球支持アーム１５０の先端部に設けた回転軸Ｐ２を介して回転可能に取り付けられる。
【００１３】
また、前記ベッド部３００は、その内部にＸ線受光部３５０を備え、このＸ線受光部３５０は受光部移動機構部３６０を介して、前記ベッド部３００の長手方向Ｘ１及びこの長手方向Ｘ１と直交する前後方向Ｚ１に移動可能に支持される。
【００１４】
なお、図１に示すように、この説明においては、床面に設置されるベース筺体１１０に対して、上下方向をＹ１として示し、前後方向をＺ１として示し、左右方向をＸ１として示す。従って、左右方向Ｙ１と前後方向Ｚ１と左右方向Ｘ１は互いに直交する。ここで、ベッド部３００は、回転軸Ｐ１を中心に回転（揺動）可能であるが、通常の姿勢では、その長手方向を水平姿勢として示し、その長手方向は左右方向と一致するため前記左右方向と前記長手方向は互いにＸ１で示す。このベッド部３００が回転した場合は、その説明において、左右方向とベッド部３００の長手方向との違いを明確にする。
【００１５】
このように、この実施の形態によれば、その長手方向を左右方向Ｘ１とするように前記ベース筺体１１０の前部に設置されるベッド部３００は、前記ベッド支持アーム１３０を介して、上下方向Ｙ１と左右方向Ｘ１に移動しつつ、ベッド部３００の長手方向Ｘ１が起立するように回転支持される。一方、ベッド部３００を挟んで対向するように配置されるＸ線投射部１２０とＸ線受光部３５０は、前記管球支持アーム１５０及び前記受光部移動機構部３６０を介して、ベッド部３００の長手方向Ｘ１と前後方向Ｚ１に移動可能に支持される。このため、ベッド部３００に載せた被検者を多様な姿勢で撮影することができる。
【００１６】
そして、この実施の形態に係る透視撮影装置１００の大きな特徴の１つは、ベッド部３００の平面形状を、その長手方向Ｘ１の両端部の横幅（短手方向の寸法）Ｌ２が略中央部の横幅Ｌ１より小さくした点にある。この実施の形態では、ベッド部３００の長手方向Ｘ１の両側を円弧形状とすることで、前記特徴的な構成を実現している。この特徴的な構造を、図１の吹出部に示した天板３０１の平面形状と、この要部Ａ−Ａ断面図を基に説明する。
【００１７】
この種の投影撮影装置では、血管を介して体内に挿入される医療器具や薬物などを投影撮影装置で撮影しながら治療するＩＶＲと称される治療が注目を浴びている。特に、近年では、腹部や胸部などの人体の中心部位が主体であった治療も、頭部や脚部などの末端の部位まで行われるようになっている。
【００１８】
更に、前記したように、この種の透視撮影装置においては、ＩＶＲでの治療では、ベッド部の周囲に治療者が位置することとなるが、従来一般的な長方形の平面形状を備えたベッド部では、前記ベッド部の四方に張り出した角部が邪魔となり、治療者の移動に制限があるとの課題がある。この実施の形態では、ベッド部３００の四隅の張り出し量が小さくなるので、前記課題が解決される。
【００１９】
特に、この実施の形態では、ベース筺体１１０に対してベッド部３００が前後方向Ｚ１に移動しない。このため、ベース筺体１１０とベッド部３００の間に治療者が位置しなければならない場合を考慮すると、このベッド部３００とベース筺体１１０の距離ＬＬを大きくしたほうが有効である。しかし、この距離ＬＬを大きくするとベッド支持アーム１３０に係る応力が大きく成ったり、更に装置の設置面積が大きくなる等の課題が生じる。このため、設置性や構造上の観点で言えば、前記距離ＬＬは小さいほうがよいが、この場合、治療者の移動の際に支障を来たす課題がある。この実施の形態では、ベッド支持アーム１３０が取り付けられるベッド部３００の中央部分の幅を広く、その両側部分の幅を狭くするこができるので、前記課題を軽減することができる。
【００２０】
また、この種の投影撮影装置では、ベッド部の姿勢が起き上がったり（起倒）、逆に反転したり（逆傾）、あるいは上下動するため、ベッド部に寝る被検者の姿勢を安定させたり、あるいは、各種の撮影または医療器具のアダプタをベッド部の長手方向の両端部に取り付けている。例えば、起倒時の踏み台となるステップや、逆傾時の肩を支持する肩当てはベッド部の長手方向の両端部に取り付けられる。
【００２１】
このようなベッド部３００の長手方向Ｘ１の両端部に取り付けられるアダプタは、人体の横幅の狭い部分を支持するにもかかわらず、ベッド部３００の長手方向Ｘ１の両側に取り付けられる機構部分が、両側（Ｚ１方向）に張り出してしまうという課題を備えている。これらの張り出した取り付け形態は、前記ＩＶＲでの作業では、その課題を一層大きなものとしている。
【００２２】
この実施の形態に係るベッド部３００は、このベッド部３００の長手方向の両側が被検者の横幅に対応して、中央部分の横幅Ｌ１は幅広く、長手方向Ｘ１の両端部の横幅Ｌ２は狭く設定されるので、被検者の頭部や脚部などの横幅の狭い部位でも、この部位とベッド部３００の端部との距離が短くなるので治療者のアクセスが容易と成る。
【００２３】
この実施の形態では、被検者が乗るベッド部３００の上部を薄い板状の天板３０１で構成し、この天板３０１の平面形状を長手方向Ｘ１の両側が円弧状で形成された形状としている。そして、この天板３０１の前記円弧状の縁部３０２の底面部にアダプタ４００の取付用溝３１０を形成している。この取付用溝３１０は、前記縁部３０２の底面部を切り欠くことにより、この縁部３０２の厚さＤ２を天板３０１の厚さｄ１より薄く形成している。そして、この薄い縁部３０２に各種のアダプタ４００の取付部４０１を取り付けることにより、簡単にアダプタ４００を取り付けることができる。
【００２４】
この天板３０１の取り付け構造によれば、ベッド部３００の長手方向Ｘ１の両端部側を支持するアダプタ４００の両側部への張り出し量を少なくすることができるから、治療者のアクセスを向上することができる。例えば、天板３０１の中央側に取り付けられるアダプタ４００ａの取り付けの横幅寸法Ｓ１に対して、長手方向Ｘ１の両端部側に取り付けられるアダプタ４００ｂの取り付けの横幅寸法Ｓ２を小さくすることができる。このため、前記アダプタ４００が、ベッド部３００の周囲で活動する検査者や治療者の邪魔になるのを軽減することができる。
【００２５】
以下、図２から図１３を参照して、この実施の形態に係る透視撮影装置を詳細に説明する。
【００２６】
先ず、図２、図３を参照して、この透視撮影装置の駆動制御と駆動構造を説明する。図２は透視撮影装置の動作ブロック図である。図３は透視撮影装置の装置展開図である。
【００２７】
先ず、図２において、この実施の形態では、Ｘ線発生装置１０で生成したＸ線を透視撮影装置１００に提供することで、このＸ線を透視撮影装置１００に設けられるＸ線投射部１２０から絞り装置１２１で調整されたX線をベッド部３００に寝ている被検者に対して照射し、この被検者を透過したＸ線をＸ線受光部３５０で撮影することができる。撮影された画像は主操作卓５５０に設けられる画像処理装置に提供され、主操作卓５５０に設けられる表示装置と、前記透視撮影装置１００に設けられるモニタ装置１６０を介して見ることができる。したがって、この透視撮影装置１００によれば、ベッド部３００の姿勢を多様に移動させることにより、被検者の様々な姿勢の部位を撮影することができる。これを実現するために、この実施の形態では、前記透視撮影装置１００に前記ベッド部３００及びＸ線投射部１２０とＸ線受光部３５０とを動作させる多くの動作機構部６００と、これを動作制御するための制御装置２０を備えている。そして、この実施の形態では、この制御装置２０に操作指示を与えるために装置として、近接操作卓５００と主操作装置５５０が準備されている。
【００２８】
次に、図２及び図３を参照して、透視撮影装置１００の動作機構を詳細に説明する。図２、３において、前記ベース筺体１１０は、前後方向Ｚ１より左右方向Ｘ１が大きく、この左右方向Ｘ１より上下方向Ｙ１が大きい、薄型で縦長の函形の本体形状を備えている。このベース筺体１１０は、設置パネル１１１を介して、撮影室の床面に設置される。ベース筺体１１０は、その内部に、長手方向を上下方向とするように設置される一対の支持レール６１１と、この一対の支持レール６１１に両側を支持される移動支持部６１２と、移動支持部６１２を前記支持レール６１１に沿って上下動させる図示しない上下駆動部とを含んで構成される昇降駆動部６１０を備えている。
【００２９】
更に、前記移動支持部６１２には、ベッド部３００を回転軸Ｐ１で回転する回転駆動部６２０を構成する回転軸受部６２１が設けられている。加えて、ベース筺体１１０の前部には、上下動する前記回転駆動部６２０を露出する開口部１１２が形成され、この回転駆動部６２０に前記ベッド支持アーム１３０の一端が取り付けられる。
【００３０】
前記ベッド支持アーム１３０は、前後方向に伸びる水平部１３１と、この水平部１３１の後方に直立して形成される垂直部１３２からなる断面がＬ字型の外観形状を備え、前記垂直部１３２の上端部には前記回転駆動部６２０を構成する回転軸部６２２が前記ベース筺体１１０の前記回転軸受部６２１に取り付けられる。一方、このベッドアーム支持部１３０の水平部１３１の前端部には、前記ベッド部３００を支持する左右レール６３１が設けられる。この構造によれば、ベッド支持アーム１３０は、前記昇降駆動部６１０を介して、上下方向Ｙ１に昇降するとともに、前記回転駆動部６２０を介して、回転軸Ｐ１を中心に回転することができる。
【００３１】
前記ベッド部３００は、前記ベッド支持アーム１３０に取り付けられるベッド本体３３０と、このベッド本体３３０の上部を覆う天板３０１とを含んで構成される。ベッド本体３３０は、べース筺体１１０側の側面に、ベッド部３００の長手方向に沿って形成される管球支持アーム受部６４１とベッド支持アーム受部６３２とを上下に設けている。
【００３２】
前記ベッド支持アーム受部６３２は、ベッド本体３３０の側面下部に凹状に形成され、この凹状のベッド支持アーム受部６３２に前記ベッド支持アーム１３０の左右レール６３１が挿入、連結され、この左右レール６３１とベッド支持アーム受部６３２及び図示しない駆動部とで、ベッド部３００の長手方向Ｘ１に沿ってベッド部３００を移動させるベッド移動機構部６３０を構成する。
【００３３】
また、前記ベッド本体３３０には、Ｘ線受光部３５０と、このＸ線受光部３５０をベッド部３００の左右方向Ｘ１と前後方向Ｚ１に移動可能に支持するＸ線受光部移動機構部６７０が設けられる。このＸ線受光部移動機構部６７０は、前記Ｘ線投射部１２０の回転軸Ｐ２の回転に対応した回転を可能にする図示しないＸ線受光部回転機構部を設けることができる。
【００３４】
前記管球支持アーム受部６４１は、ベッド支持アーム受部６３２の上部に形成されるスライド面６４２と、このスライド面６４２の上下に形成される嵌合溝６４３とから構成され、この管球支持アーム受部６４１に前記管球支持アーム支持部１４０の一端が取り付けられる。
【００３５】
前記管球支持アーム支持部１４０は、前記管球支持アーム受部６４１と勘合する断面がコ字状のスライド嵌合部６４４と、このスライド嵌合部６４４の後方に取り付けられる管球支持アーム台部１４１とから構成される。前記管球支持アーム受部６４１とスライド嵌合部６４４及び図示しない駆動部とで第１管球支持アーム移動機構部６４０が構成され、このスライド嵌合部６４４と管球支持アーム受部６４１との嵌合により、管球支持アーム支持部１４０がベッド部３００の長手方向に沿って移動することができる。したがって、この管球支持アーム支持部１４０は、前記ベッド支持アーム１３０の水平部１３１の上方を移動するため、管球支持アーム台部１４１の底面は前記水平部１３１と接触しない形状になっている。また、前記管球支持アーム台部１４１の上部には前記管球支持アーム１５０を前後方向に移動可能な移動レール６５１が設けらている。
【００３６】
前記管球支持アーム１５０は、前記管球支持アーム台部１４１の移動レール６５１に取り付けられるアーム連結部１５１と、Ｘ線投射部１２０が取り付けられる投射連結部１５２と、この投射連結部１５２とアーム連結部１５１とを繋ぐ弓形のアーム１５３とから構成される。アーム連結部１５１は、箱型の外観を備え、その内部に図示しないアーム駆動部が設けられ、このアーム駆動部と前記移動レール６５１とで第２管球支持アーム移動機構部６５０を構成し、第２管球支持アーム移動機構部６５０を介してアーム連結部１５１が前記管球支持アーム台部１４１の移動レール６５１上を前後方向Ｚ１に移動することができる。
【００３７】
一方、前記投射連結部１５２は、前記Ｘ線投射部１２０と連続する外観を備え、その内部に図示しない駆動部を備えて、このＸ線投射部１５２を回転軸Ｐ２を中心に回転可能に支持する。
【００３８】
前記アーム１５３は、正面側からみて、前記Ｘ線投射部１２０と前記投射連結部１５２とを左右方向にずらし、側面側からみて、前記投射連結部１５２と連結するＸ線投射部１２０をベッド部３００の上方位置に位置するように前方に傾斜した形状を備えている。また、このアーム１５３には、収納時には、このアーム１５３内に収まり、使用時にはベッド部３００に向かって伸びる折りたたみ可能な診断アーム１５４が収められている。
【００３９】
前記X線投射部１２０は、前記投射連結部１５２に対して回転軸P２を中心に回転可能にする管球回転機構部６６０を介して前記投射連結部１５２に取り付けられ、この回転軸Ｐ２と直交する方向（ベッド部側に向く角度）にＸ線照射レンズ１２２が設けられる。このＸ線照射レンズ１２２に投光部１２３が設けられ、このX線投射部１２０の周囲を明るくする他、撮影部位を投光することができる。
【００４０】
また、この実施の形態では、Ｘ線受光部３５０で撮影した画像や制御画面を表示する撮影室のモニタ装置１６０を備えることができる。この撮影室のモニタ装置１６０は、多数のアームで構成される多関節アーム部１６１と、この多関節アーム部１６１の一端に取り付けられるサブモニタ１６２とから構成される。この実施の形態では、多関節アーム部１６１の他端を前記ベース筺体１１０に取り付けることにより、サブモニタ１６２に撮影画像や設定画面を表示して各種の設定や検査、治療などを行うことができる。
【００４１】
次に、図１と図３を基に、図４から図１０を参照して、この実施の形態が特徴とする部分の詳細な構造を更に説明する。ここで、図４は、天板の外観図で、（ａ）図が平面図、（ｂ）図が正面図、（ｃ）図が底面図、（ｄ）図が拡大部分断面図、（ｅ）図が取付用溝の底面部分の拡大図である。図５は、天板の円弧状の縁部の断面図である。図６は天板にアダプタを取り付けた状態の対比図であり、（ａ）図が本発明、（ｂ）図が従来例の平面図である。図７は、撮影範囲と管球支持アームの移動範囲の対比図であり、（ａ）図が本実施の形態、（ｂ）図が従来技術を示している。図８は診断アームの動作説明図である。図９は投光部の説明図であり、（ａ）図が動作説明図、（ｂ）図が要部断面図、（ｃ）図が取り付け構造側の外観図である。
【００４２】
図１と図３において、前記ベッド部３００は、ベッド本体３３０の下部が、底面周囲が面カットされて、船形の外観を備えている。この外観構造により、多様に動くベッド部３００のボリューム感を軽減することができる。また、ベッド部３００の上面を覆う天板３０１は、天板３０１の円弧状の縁部３０２が外方（前後方向Ｚ１）に張り出すように、ベッド本体３３０の上部を凹状に形成している。これにより、円弧状の縁部３０２に取り付けるアダプタ４００の着脱を容易にしている。これらベッド部３００の詳細構造を図４から図６を参照して更に説明する。
【００４３】
先ず、図４において、この実施の形態では、天板３０１全体をＸ線を透過する材料（カーボン素材等）で形成しているが、円弧状の縁部３０２には、金属材料を透過材料の間に挟んだり、あるいは、取付用溝３１０に張り付けるなどして強度を増す構造としている。この実施の形態では、金属材料などの補強部材３０３を天板３０１の外周の縁部全体（２点破線で示す）に細く設けることで、Ｘ線撮影の障害を無くしつつ、天板３０１の強度を増している。
【００４４】
前記したように、この天板３０１は長手方向Ｘ１の両側を中央部分の横幅寸法Ｌ１が両端部の横幅寸法Ｌ２より太い形状としている。この実施の形態では、中央部分から両端部に向かって徐々に横幅が小さくなる円弧形状とする形状としている。
【００４５】
また、この実施の形態では、天板３０１の長手方向Ｘ１を約３等分して、長手方向Ｘ１の両端側の１／３の円弧状の縁部３０２に取付用溝３１０を設けている。もちろん、円弧状の縁部３０２の全域に取付用溝３１０を設けてもよいが、この実施の形態では、特に必要な部分にのみ設けている。この意味は、通常、ベッド部３００に取り付けられるアダプタ４００は、被検者の体の保持を行うためにベッド部の長手方向の両端に取り付けられるアダプタ４００、例えば、ベッド部３００の長手方向Ｘ１を傾けたりする際に被検者が体を保持するためのハンドル４１０や肩パット４２０やフットステップ４３０等のアダプタ４００が主体となるためである。
【００４６】
なお、この実施の形態では、天板３０１の長手方向Ｘ１の長さ寸法を２ｍとし、取付用溝３１０が設けられていない中央部分の長さ寸法を９００ｍｍに設定している。
【００４７】
図４の（ａ）図にはハンドル４１０の取り付け位置を示している。この種の検査装置では、ベッド部３００に横たわる被検者は、ベッド部３００の長手方向の両側に設けられるハンドル４１０を保持する。このハンドル４１０は、棒状の握り部４１１をベッド部３００の長手方向Ｘ１に沿って配置する構造を備えている。このハンドル４１０を天板３０１に取り付ける場合、握り部分４１１をベッド部３００に横たわる被検者の位置に合わせる必要があることから、握り部分４１１を、その長手方向の両端で支持するハンドル取付部４１２は、ベッド部３００の長手方向Ｘ１の両端部側となる。
【００４８】
また、図６で説明する肩パット４２０やフットステップ４３０についても、その取り付け位置はベッド部３００の長手方向Ｘ１の両端部側となる。そこで、この実施の形態では、前記したように、ベッド部３００の長手方向Ｘ１の両端側の約１／３の円弧状の縁部３０２に取付用溝３１０を設けるようにしている。この構造によれば、例えば、前記ハンドル４１０の場合は、ベッド部３００の長手方向Ｘ１の両端部側の取付用溝３１０ａと取付用溝３１０ｂにハンドル４１０のハンドル取付部４１２を取り付けることができる。この場合、取付用溝３１０ａと取付用溝３１０ｂの対向する内側の端部Ｑを利用してハンドル４１０の位置合わせをすることができるので、着脱が容易で、しかも強度も強化することができる。
【００４９】
このように、この実施の形態に係る天板３０１は、天板３０１の中央部分を長手方向Ｘ１の両端部側より広くしているから、被検者の体形に合わせた形状としている。このため、被検者の頭部や脚部の天板３０１の縁部を被検者側に近い位置にすることができるから、検査者や治療者のアクセスを向上させることができる。しかも、天板３０１を補強する天板３０１の周囲の補強部材３０３を透視撮影の影響を軽減しつつ設けることができるから、撮影性能や強度を向上することができる。更に、前記補強部材３０３で強化が必要なアダプタ４００を取り付ける取付用溝３１０を、ベッド部３００の長手方向Ｘ１の両端部側にのみ設けることで、ベッド部３００の長手方向Ｘ１の中央部分の撮影可能な領域（横幅寸法）を広くすることができるので、前記撮影性能や強度を一層向上することができる。
【００５０】
また、図４の（ｄ）（ｅ）図に示すように、前記取付用溝３１０は、円弧状の縁部３０２の底面部分を切り欠いた形状とするとともに、その長手方向（ベッド部の長手方向Ｘ１）に沿って等間隔に形成される位置決凹部３１１を設けている。この詳細構造を図５で更に説明する。
【００５１】
図５の（ａ）図は取付用溝の縦断面図、（ｂ）図は取付用溝がない中央部分の縦断面図、（ｃ）図はベッド部の長手方向の両端部の断面図である。図５において、この実施の形態では、円弧状の縁部３０２を含む天板１０３の上面の外周全体をカットして傾斜面３１２を形成し、縁部の外周面を下部が内側に後退した傾斜面３１３としている。そして、（ａ）図に示すように、取付用溝３１０を、内側の平面領域３１４と、この平面領域３１４より下方に張り出して形成される外側の突起領域３１５と、この突起領域３１５と前記平面領域３１４との間に形成され、前記平面領域３１４より凹状（上方位置となる形状）となる凹部領域３１６とから構成している。
【００５２】
前記平面領域３１４は天板３０１の全体を占める平坦面３１７と平行と成るように形成され、前記突起領域３１５と凹部領域３１６とが前記傾斜面３１２と対向して形成される。更に、（ｂ）図に示すように、前記突起領域３１５と凹部領域３１６とは、天板１０３の円弧状の縁部３０２全体に渡って形成される。したがって、この実施の形態では、前記突起領域３１５と凹部領域３１６を介して、簡単なアダプタ４００を取り付けることができる。
【００５３】
この実施の形態では、前記平面領域３１４と平坦面３１７との厚さＤ４を前記天板３０１の厚さＤ１より小さくし、かつ、この平面領域３１４と平坦面３１７とを平行に形成することにより、前記アダプタ４００の取付部４０１で、この平行な部位を確り挟んで固定することができる。また、平面領域３１４と平坦面３１７の外側（外周）は、前記傾斜面３１２に沿って斜め下方に傾斜した形状としている。しかも、この種のアダプタ４００は、天板３０１の長手方向Ｘ１の両側の取付用溝３１０に一対の取付部４０１を取り付けるもの多い。この場合、前記突起領域３１５が凹部領域３１６を介して下方に張り出して形成されるために、この下方に張り出した突起領域３１５が一対の取付部４０１に引っ掛かって、固定を確かなもにする効果がある。更にまた、突起領域３１５を下方に張り出した形状であっても、前記傾斜面３１２を形成することにより、突起領域３１５の厚さＤ２，Ｄ３を平面領域３１４の厚さＤ４と同等とすることができるから、アダプタ４００の着脱が容易である。
【００５４】
また、この実施の形態では、位置決凹部３１１を前記長手方向Ｘ１に沿って等間隔に設けているので、この位置決凹部３１１にアダプタ４００の取付部４０１に設けた嵌合突起部４０２を勘合させれば、長手方向Ｘ１の位置を固定することができる。
【００５５】
このように、この実施の形態では、特徴的な前記取付用溝３１０の構造により、アダプタ４００の着脱が容易である他、天板３０１の外周に形成した傾斜面３１２により、被検者のベッド部３００への乗り降りが容易である。また、天板３０１に水滴などをこぼしても、突起領域３１５と凹部領域３１６を設けることにより、こぼした水滴が突起領域３１５から下方に滴下し、平面領域３１４まで回りこむことを軽減することができる。
【００５６】
なお、図５においては、補強部材３０３を模式的に示している。各図から明らかなように、（ｂ）図に示す、天板３０１の長手方向Ｘ１の中央部分の縁部３０２における補強部材３０３とＺ１方向の端部までの長さは、（ａ）図に示す長手方向Ｘ１の両端部側の縁部３０２における補強部材３０３とＺ１方向の端部までの長さより短いことから、前記長手方向Ｘ１の中央部分における透過撮影領域を広くできることが分かる。
【００５７】
次に、図６を参照して、アダプタ４００を、円弧状の縁部３０２に取り付けた作用効果を更に説明する。図６において、この実施の形態に係る円弧状の縁部３０２を備えた天板３０１を（ａ）図に示し、従来の長方形状の天板を（ｂ）図に示す。この図６では、天板３０１に被検者が仰向けに寝た姿勢を示し、この姿勢に対応する位置にハンドル４１０と肩パット４２０とフットステップ４３０とを取り付けた状態を示している。
【００５８】
この実施の形態に係る天板３０１では、中央部分の横幅寸法Ｌ１より、両端部の横幅寸法Ｌ２が小さくなっている。これに対し、従来例の天板の横幅寸法は同じ長さである。このため、天板３０１の中央部分に取り付けられるハンドル４１０の横幅寸法Ｓ１は、この天板３０１でも従来例の天板でもさほど大きな違いはないが、前記長手方向Ｘ１の両端部に取り付けられるフットステップ４３０の横幅寸法Ｓ２と、肩パット４２０の横幅寸法Ｓ３には大きな違いとなる。
【００５９】
つまり、従来技術の天板では、その長手方向Ｘ１のどの位置でも同じ横幅寸法Ｓ１となる。したがって、従来技術では、肩パット４２０でもフットステップ４３０でもハンドル４１０と同様に前記前後方向Ｚ１方向に取付部が張り出した構造と成る。したがって、従来技術では、被検者の頭部や脚部へのアクセス距離が長くなり、しかも、この距離がある端部から更にアダプタ４００が張り出すために、検査者や治療者のアクセスが一層しづらくなる。
【００６０】
これに対し、この実施の形態に係る天板３０１は、長手方向Ｘ１の両端部側の横幅寸法Ｌ２が中央部分の横幅寸法Ｌ１より短いため、この短い横幅寸法Ｌ２を利用して肩パット４２０やフットステップ４３０の前後方向Ｚ１への張り出し量を少なくすることができる。このため、検査者や治療者の被検者へのアクセスを良好とすることができる。
【００６１】
更にまた、この実施の形態では、横幅寸法Ｌ２を小さくすることにより、この短い横幅寸法Ｌ２に取り付けられるアダプタ４００の横幅寸法も小さくすることができるから、アダプタ４００の小型化を図ることができる。
【００６２】
次に、図１と図７において、この実施の形態では、管球支持アーム１５０を、その上端部に設けたＸ線投射部１２０が、管球支持アーム１５０の下端部に設けたアーム連結部１５１に対して斜め前方に位置するように、管球支持アーム支持部１４０に対して斜め姿勢で取り付けられている。
【００６３】
即ち、この種の透過撮影装置は、ベッド部３００の後部側に管球支持アーム１５０を支持する管球支持アーム支持部１４０を設けているために、管球支持アーム１５０は、この管球支持アーム１５０を支持する位置Ｇ１に対して、ベッド部３００の上方位置であるＧ２の位置にＸ線投射部１２０を支持する必要がある。このため、本実施の形態を含めたこの種の透過撮影装置は、直立した管球支持アーム１５０の上端が前方に長さＬ１０だけ曲がった構造を備えている。この際、従来技術では、Ｘ線投射部１２０が位置するＧ２の位置は、管球支持アーム１５０が支持するＧ１の位置の真っ直ぐ前方の位置となっている。このため、従来技術では、被検者の頭部や脚部を撮影するためには、ベッド部３００に対する管球支持アーム支持部１４０のベッド部３００の長手方向Ｘ１の移動量を大きくしなければならない課題があり、装置の大型化を招いていた。
【００６４】
これに対し、この実施の形態に係る管球支持アーム１５０は、ベッド部３００の長手方向Ｘ１に長さＬ１１だけオフセットした位置にＸ線投射部１２０の支持位置Ｇ２が位置するように、前方に曲がった管球支持アーム１５０を斜め姿勢とする構造としている。
【００６５】
図７の（ａ）図に示すこの実施の形態と、（ｂ）図に示す従来技術では、管球支持アーム支持部１４０の移動量（移動範囲）Ｌ１２を同じに設定されている。（ｂ）図に示すように、従来技術の構造によれば、管球支持アーム支持部１４０の移動範囲Ｌ１２がそのままＸ線投射部１２０のベッド部３００の長手方向Ｘ１の移動範囲Ｌ１３となる。このため、従来技術においては、撮影領域Ｌ１３が中央に偏った構造であるため、ベッド部３００の長手方向Ｘ１の両端部が非撮影領域Ｌ１４となり、近年増加している頭部や脚部などの部位の撮影に不向きな構造となっている。
【００６６】
一方、（ａ）図に示すように、この実施の形態では、管球支持アーム支持部１４０の移動範囲Ｌ１２に対してＸ線投射部１２０の移動範囲（撮影領域）Ｌ１３がベッド部３００の長手方向Ｘ１の片側にずれた範囲となる。このため、この実施の形態では、撮影領域Ｌ１３をベッド部３００の長手方向X1の一方の片側に偏った構造とすることができるので、被検者の胴体部分から近年増加している頭部にかけてを撮影領域Ｌ１３とすることができる。なお、この実施の形態では、ベッド部３００の長手方向の他方の片側が非撮影領域Ｌ１４となり、脚部などの撮影ができなくなるが、この場合は、被検者の姿勢を反転して寝てもらえば解決することができる。
【００６７】
また、図７（ａ）図に示すように、この実施の形態によれば、管球支持アーム１５０を支持する位置Ｇ３とＸ線投射部１２０の支持位置Ｇ４とがずれているので、例えば、頭部などのＩＶＲでの撮影・治療では、管球支持アーム１５０を支持する管球支持アーム支持部１４０が治療者の邪魔に成ることを軽減することができる。
【００６８】
ここで、従来技術においても、ベッド部３００の長手方向Ｘ１の片側に管球支持アーム支持部１４０の移動範囲Ｌ１２をずらして設定することで、本実施の形態と同様な撮影領域Ｌ１３を得いることができる。しかし、前記したＩＶＲでの撮影・治療の課題を解決することができない。更には、前記従来技術の構造は、ベッド部３００に対して偏った構造と成るために、ベッド部３００の重心バランスに課題が残る。この実施の形態では、これら課題を軽減することができる。
【００６９】
また、図１において、この実施の形態では、管球支持アーム１５０のアーム１５３を弓形に湾曲した構造としている。従来技術においては、管球支持アーム１５０のアーム１５３には、被検者の撮影中に被検者の腹部等を押すための診断アーム１５４が取り付けられている。このため、従来技術のアーム１５３は、アーム連結部１５１から垂直に立ち上げて、その上部を前方に屈曲した逆Ｌ字型の形状とし、その垂直部分に診断アーム１５４を取り付けた構造としている。このため、ベッド部３００に寝ている被検者にとって、この垂直にそそり立つアームが目線を遮ったり、あるいは、診断アーム１５４のボリュームが不安感を抱かせる課題があった。
【００７０】
この実施の形態に係る管球支持アーム１５０は、前記課題を解決するために、アーム１５３の側面形状を緩やかに前方に傾斜する弓形形状とするとともに、この弓形形状の印象を維持しつつ、このアーム１５３に診断アーム１５４を内蔵させている。この構造を図８を参照して更に説明する。
【００７１】
図８において、このアーム１５３は、その骨格を成す支柱部１７０と、この支柱部１７０に沿って形成される一対の弓形側板１７５と、アーム１５３の前部を覆う前カバー１７６と、アーム１５３の後部を覆う後カバー１７７と、前記支柱部１７０に取り付けられる診断アーム１５４とを含んで構成される。前記支柱部１７０は、垂直に立ち上がる垂直部１７１と、この垂直部１７１から前方に張り出す水平部１７２と、この水平部１７２から斜め前方に立ち上がる傾斜部１７３とを含んで構成される。
【００７２】
診断アーム１５４は、一端を前記支柱部１７０に折りたたみ可能に取り付けられる上アーム１８０と、一端を上アーム１８０の他端と折りたたみ可能に取り付けられる下アーム１８１と、前記下アームの他端に取り付けられる押し付けパット部１８２とから構成される。この上アーム１８０は、前記垂直部１７１の上端部に取り付けられ、その回転軸部１８３が水平部１７２の下方に位置するように取り付けられる。このため、診断アーム１５４を折りたたんだ状態では、上アーム１８０をその長手方向が垂直部１７１に沿った姿勢で、下アーム１８１はその長手方向が傾斜部１７３の長手方向の延長線に沿った姿勢で折りたたむことができる。
【００７３】
前記一対の弓形側板１７５は、前記傾斜部１７３の延長線に沿って支柱部１７０の両側を覆い、前記前カバー１７６は前記一対の弓形側板１７５の前方に張り出して収納される診断アーム１５４を覆うように形成され、前記後カバー１７７は前記一対の弓形側板１７５の後方に張り出して前記垂直部１７１と水平部１７２とで形成される角部部分１７８を覆うように形成される。なお、前記前カバー１７６の前面には診断アーム１５４が出入りする開口部１８４が形成されている。
【００７４】
ここで、この実施の形態では、前記角部部分１７８を更に第２傾斜部１７４とすることで、デッドスペースの少ない管球支持アーム１５０としている。
【００７５】
図１に戻り、前記Ｘ線投射部１２０は、前部が大きな丸みで形成される側面形状を備えた箱型形状を備えている。このＸ線投射部１２０は、その下面に回転軸Ｐ２と直交する光軸（Ｇ２で図示）を備えた突出するＸ線照射レンズ１２２を備えるとともに、Ｘ線照射レンズ１２２の周囲に投光部１２３を備えている。この投光部１２３を図９を参照して更に説明する。
【００７６】
図９において、（ｃ）図に示すように、この実施の形態に係るＸ線投射部１２０は、背面側に投射連結部１５２と連結して回転軸Ｐ２を中心に回転させる回転軸部１２８を備えている。なお、この事例では、突出する回転軸部１２８としているが凹状の構造でもよく、更に他の構造でもよい。
【００７７】
この実施の形態では、四隅にアール備えた突出するＸ線照射レンズ１２２の前部と、両側には投光部１２３を構成する拡散カバー１２４が設けられている。図９の（ｂ）図において、この投光部１２３は、Ｘ線投射部１２０のメンテナンス用カバーを兼用する反射板１２５と、反射板１２５の前面側に配置されるＬＥＤ等で構成される光源部１２６と、光源部１２６を含む前記反射板１２５の前面をカバーする前記拡散カバー１２４とを含んで構成される。前記前記拡散カバー１２４は、前部拡散カバー１２４ａと、一対のサイド拡散カバー１２４ｂとからなり、ネジ１２５ｃで着脱可能に取り付けられる。
【００７８】
この構造によれば、光源部１２６から発せられる光は、前記拡散カバー１２４から直接または前記反射板１２５の反射光として外部に投光される。そして、このように、Ｘ線照射レンズ１２２の周囲に配置される投光部１２３を備えた本実施の形態によれば、（ａ）図に示すように、Ｘ線投射部１２０の周囲を明るくするとともに、Ｘ線照射レンズ１２２で撮影する部位の周辺を照らすこととなるので、検査者や治療者の視認性を向上させることができる。特に、この実施の形態では、Ｘ線投射部１２０が回転軸Ｐ２を中心に回転させることができるので、撮影位置を自動的に照らすことができる。
【００７９】
しかも、この実施の形態では、反射板１２５がＸ線投射部１２０のメンテナンス用カバーと兼用しているので、構造が容易であり、しかも、デッドスペースを有効に活用することができる。
【００８０】
次に、図１０、１１を参照して、透視撮影装置１００の使用形態を説明する。図１０、１１はベッド部を移動させた状態の平面図を示している。
【００８１】
図１０において、この実施の形態では、被検者の被検者頭部近傍のＩＶＲ作業に有効な動作姿勢を取ることができる。先ず、昇降駆動部６１０を介してベッド部３００を低い位置に降下させて、被検者が乗りやすい位置にすることができる。この状態で被検者の頭部がベッド部３００のの長手方向Ｘ１の左側に位置するように被検者をベッド部３００に寝た状態にセットする。この状態からベッド部３００を昇降駆動部６１０を介して治療者が治療しやすい高さまで移動させる。次に、ベッド移動機構部６３０を介して被検者の頭部側にベッド部３００を移動させ、更に、第１管球支持アーム移動機構部６４０を介して管球支持アーム１５０を移動させてベッド部３００の長手方向Ｘ１方向の部位の位置合わせと、第２管球支持アーム移動機構部６５０と受光部移動機構部３６０を介してＸ線投射部１２０とＸ線受光部３５０を移動させて前後方向Ｚ１方向の部位の位置合わせを行う。このような位置合わせの順番は適宜変更することができる。また必要により管球回転機構部６６０と受光部移動機構部３６０を調整することができる。
【００８２】
図１０は前記位置合わせ動作に基づいて、頭部近傍の撮影・治療姿勢を取った状態を示している。この透視撮影装置１００の姿勢によれば、ベッド部３００の頭部側の長手方向Ｘ１の一端側の周囲が大きく開放された状態となる。これは、管球支持アーム１５０がオフセットの配置としているために、管球支持アーム１５０を支持する管球支持アーム支持部１４０が被検者の頭部と反対側に位置させることができることに起因する。更に、この実施の形態では、ベッド部３００の天板３０１を、前記長手方向Ｘ１の中央の横幅寸法Ｌ１に対して、長手方向Ｘ１の両端部の横幅寸法Ｌ２を小さくするように、長手方向Ｘ１の両側の縁部を円弧形状に形成したことにより、被検者の頭部近傍と天板３０１の両側の縁部との距離を短くすることができる。これにより、治療者や検査者が被検者やその部位に近づくことができるので、治療者や検査者の作業性を向上することができる。
【００８３】
また、図１０の事例は、被検者の頭部近傍の部位の撮影姿勢を示したが、腹部などの姿勢においても図１０で説明したと同様な作用効果を得ることができる。この透視撮影装置１００の動作姿勢を図１１に示す。図１１において、特に、この実施の形態よれば、ベッド部３００の長手方向Ｘ１の中央部分とベース筺体１１０との距離ＬＬに対して、ベッド部３００の長手方向Ｘ１の両端部とベース筺体１１０との距離ＬＬαを長くすることができるので、検査者や治療者の移動性を良好とすることができる。
【００８４】
次に、図１と図１２及び図１３を参照して、近接操作卓５００の詳細構造を説明する。図１２はベース部の外観図であり、（ａ）図が正面図、（ｂ）図が右側面図である。図１３はベース部の外観斜視図であり、（ａ）図が前方斜視図、（ｂ）図が後方斜視図である。
【００８５】
先ず、図１において、この実施の形態に係る近接操作卓５００は、操作制御部本体５０１と、この操作制御部本体５０１を支持する支柱部５０２と、この支柱部５０２を支持するベース部５０３とから構成される。操作制御部本体５０１は、横長箱体形状の外観を備え、その上面に前記主操作卓５５０の主たる操作スイッチやジョイスティックなどを備えた操作盤が設けられ、その前面となる正面側の側面には移動させるためのハンドルが設けられている。
【００８６】
前記支柱部５０２は、金属材料で形成され、その上端部を前記操作制御部本体５０１の底面とネジなどを介して接続される。前記ベース部５０３は、底面４隅に自在車輪を備えた平板状の金属製本体を備え、その上面にフットスイッチ５０４を備えている。このベース部５０３の具体的な構造を図１２、図１３を参照して更に説明する。
【００８７】
図１２、図１３において、このベース部５０３は、鋼板をプレス加工を施すことで形成される。その形態は、支柱部５０２を支持するベース部５０３の上面を後方が高く、前方に向かって傾斜する傾斜面５１０で形成し、この傾斜面５１０の後部両側下部に後部移動車輪５１１を設け、この傾斜面５１０の前部両側に隆起部５１２を形成し、この隆起部５１２の下部に前部移動車輪５１３を設け、この隆起部５１２の間の傾斜面５１０にフットスイッチ５０４を備えている。
【００８８】
即ち、図１２において、この実施の形態では、ベース部５０３の上面を後方の床面からの高さｄ１を、前記隆起部５１２の床面からの高さｄ２と同じ高さに設定することで、同じ大きさの前記後部移動車輪５１１と前部移動車輪５１３とを配置するスペースをベース部５０３の４隅に確保している。そして、ベース部５０３の上面後方の高い位置（ｄ１）から前方の床面近傍の低い位置に向かって傾斜する傾斜面５１０を形成している。この実施の形態では前記傾斜面５１０を大きな円弧面で形成することでベース部５０３の強度を持たせて、更に、前記隆起部５１２を形成することで、ベース部５０３の強度を高めて、鋼板の板厚を薄くして、軽量化を図っている。
【００８９】
また、一対の隆起部５１２は、前方の高い位置（ｄ２）から後方に向かって傾斜する傾斜面５１２ａを備えている。この傾斜面５１２ａは、大きな円弧面で形成される。そして、この傾斜面５１２ａと前記傾斜面５１０とは、前後の高い位置（ｄ１、ｄ２）より低い位置ｄ３で連結している。
【００９０】
この実施の形態では、前記隆起部５１２の間の傾斜面にフットスイッチ５０４を備えることにより、床面と近い位置でフットスイッチ５０４を操作することができるので、操作者の操作性を向上することができる。そして、この実施の形態の大きな特徴は、前方からの低い位置での操作性に加えて、隆起部５１２の後方に形成される２つの傾斜面とが交わる低い位置ｄ３からでも前記フットスイッチ５０４を操作可能とした点にある。なお、前記支柱部５０２とベース部５０３とは、例えば、溶接やネジなどで接続される。
【００９１】
このように、この実施の形態に係る近接操作卓５００は、ベース部５０３を前方に傾斜する傾斜面５１０と、前部両側に後方に向かって傾斜する傾斜面５１ａを備えた隆起部５１２とから構成される極めてシンプルな形状とすることにより、薄い鋼板のプレス加工などの簡単な加工で形成することができる。しかも、ベース部５０３の上面は平面的な造形となっているので、清掃性をも向上できる他、面の折り返しで形成されるため、強度的にも優れている。そして何より、前記隆起部５１２の間に設けたフットスイッチ５０４を、前方の低い位置と、両側の低い位置の３方（図１３（ａ）の矢印で図示）から操作できるので、操作者の操作性を向上することができる。
（その他の実施の形態）
次に、天板３０１の上面形状の他の形状について、図１４を参照して説明する。図１４は他の実施の形態に係る天板の上面図である。なお、同一部位や機能は第１の実施の形態と同一符号を持って示し、重複した説明を省略する。
【００９２】
前記第１の実施の形態では、天板３０１の平面形状を天板３０１の長手方向Ｘ１の両側を円弧形状とする実施の形態で説明したが、これに限定されるものではない。例えば、図１４の（ａ）図に示すように、一方の円弧を直線状に形成することでも、効果を得ることができる。また、（ｂ）図に示すように、ベッド操作スイッチ３３１に対応する天板３０１の中央部分を切り欠いたり直線状にしてもよい。この場合、天板３０１の長手方向Ｘ１の中央部分のアダプタ４００の取り付けをできないようにする。
【００９３】
また、（ｃ）図に示すように、天板３０１の長手方向Ｘに対して中央部分と両側の部分に３分割し、中央部分の横幅寸法Ｌ１は長く、両側の部分の横幅寸法Ｌ２を短くし、それぞれの領域の両側端部を平行な直線状とする。そして、それぞれの端部に取付用溝３１０を設けるようにする。この構造によれば、中央部分と、その両側の部分との間に段差部が生まれるものの、それぞれの縁部は直線状となるので、アダプタ４００の取り付けが円弧に比べて容易と成る。
【図面の簡単な説明】
【００９４】
【図１】透視撮影システムの概略構成図である。
【図２】透視撮影装置の動作ブロック図である。
【図３】透視撮影装置の装置展開図である。
【図４】天板の外観図である。
【図５】天板の円弧状の縁部の断面図である。
【図６】天板にアダプタを取り付けた状態の対比図である。
【図７】撮影範囲と管球支持アームの移動範囲の対比図である。
【図８】診断アームの動作説明図である。
【図９】投光部の説明図である。
【図１０】ベッド部を移動させた状態の平面図である。
【図１１】ベッド部を移動させた状態の平面図である。
【図１２】近接操作卓のベース部の外観図である。
【図１３】近接操作卓のベース部の外観斜視図である。
【図１４】他の実施の形態に係る天板の上面図である。
【符号の説明】
【００９５】
１００…透視撮影装置、１１０…ベース筺体、１３０…ベッド支持アーム、３０１…天板、３００…ベッド部、L１…ベッド部の長手方向における略中央の短手方向の寸法、L２…ベッド部の長手方向の両端部の短手方向の寸法。
【図１】
2008167782.tif 000003
【図２】
2008167782.tif 000004
【図３】
2008167782.tif 000005
【図４】
2008167782.tif 000006
【図５】
2008167782.tif 000007
【図６】
2008167782.tif 000008
【図７】
2008167782.tif 000009
【図８】
2008167782.tif 000010
【図９】
2008167782.tif 000011
【図１０】
2008167782.tif 000012
【図１１】
2008167782.tif 000013
【図１３】
2008167782.tif 000014
【図１４】
2008167782.tif 000015
【図１２】
2008167782.tif 000016